(57)【要約】    【課題】  シート状の光ディスクをトレイに入れ複数枚積層収納したカートリッジとその記録再生装置を提供することを目的とする。    【解決手段】  シート状の光ディスク１０より小さい穴６と大きい穴７を開けた平板２と平板３を接着、さらに、平板３に開閉できるカバー４を接着し、大きい穴７に光ディスク１０を入れてカバー４で被ったトレイ１を多数枚積層収納したカートリッジ１５と、カートリッジ１５を移動台２４で上下に移動し、トレイ１をフック機構３６で引掛けて引き出す。この時カバー４を剥離爪２６で引き剥がす。光ディスク１０をガラス円板３１を取付けたスピンドルモータ２９に固定する。光ディスク１０はガラス円板３１に流体力で吸引されて回転し、記録再生部３２で記録再生される。収納時は、光ディスク１０をトレイ１に戻しカバー４で被いながらフック機構３６でカートリッジ１５に押し込むようにした記録再生装置を構成する。【選択図】  図１
2007172726.tif 000002
【特許請求の範囲】
【請求項１】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクより小さい穴Ｓを開けた平板１と、前記光ディスクより大きい穴Ｌを開けた平板２との前記穴Ｓと穴Ｌを略同心円にして接着し、前記平板２の穴Ｌに前記光ディスクを入れたトレイを多数枚収納することを特徴とするカートリッジ。
【請求項２】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクより小さい穴Ｓを開けた平板１と、前記光ディスクより大きい穴Ｌを開けた平板２との前記穴Ｓと穴Ｌを略同心円にして接着し、さらに、前記平板２の端部にシート状のカバーの端部を接着し、前記平板２の穴Ｌに前記光ディスクを入れて前記カバーで被ったトレイを多数枚収納することを特徴とするカートリッジ。
【請求項３】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクより小さい穴を開けた平板と、前記平板の端部にシート状のカバーの端部を接着し、前記平板と前記カバーの間に前記光ディスクを入れたトレイを多数枚収納することを特徴とするカートリッジ。
【請求項４】
前記平板の端部を折り返して前記カバーとしたトレイを多数枚収納することを特徴とする請求項３記載のカートリッジ。
【請求項５】
前記平板１より前記平板２の一辺を短くして段差を設け、前記段差部に前記カバーの一辺を突出させ前記段差部の前記カバーを持上げるようにしたトレイを多数枚収納することを特徴とする請求項２記載のカートリッジ。
【請求項６】
前記平板より前記カバーの一辺を突出させて突出部の前記カバーを持上げるようにしたトレイを多数枚収納することを特徴とする請求項３、請求項４記載のカートリッジ。
【請求項７】
前記平板を貫通する穴Ｈを設け、前記穴Ｈに部材を挿入して前記カバーを持上げるようにしたトレイを多数枚収納することを特徴とする請求項２、請求項３および請求項４記載のカートリッジ。
【請求項８】
前記カートリッジに棚を設け前記トレイを複数枚づつに分割して多数枚収納することを特徴とする請求項１乃至請求項７記載のカートリッジ。
【請求項９】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクを収めたトレイと、前記トレイの間にシート状のセパレータを挿入して多数枚積層収納することを特徴とするカートリッジ。
【請求項１０】
前記カートリッジに棚を設け前記トレイを複数枚づつに分割して多数枚積層収納することを特徴とする請求項９記載のカートリッジ。
【請求項１１】
前記セパレータの一辺を前記トレイより長くし、前記カートリッジに設けた停止板で前記セパレータが停止して前記トレイの引出し方向に移動できないようにしたことを特徴とする請求項９、請求項１０記載のカートリッジ。
【請求項１２】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクを収めたトレイと、前記トレイを袋状のトレイケースに収納し前記トレイケースを多数枚収納することを特徴とするカートリッジ。
【請求項１３】
前記カートリッジに設けた停止板で前記トレイケースが停止して前記トレイの引出し方向に移動できないようにしたことを特徴とする請求項１２記載のカートリッジ。
【請求項１４】
前記カートリッジの側板に前記トレイの厚さより広い間隔で溝を設け、前記トレイを前記溝に挿入して多数枚収納することを特徴とする請求項１乃至請求項７記載のカートリッジ。
【請求項１５】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクを収めたトレイと、前記トレイを多数枚収納したカートリッジから前記トレイを引出す際に、隣接する上側のトレイの引出し側の端部を持上げ、隣接する下側のトレイの引出し側の端部を押えるようにしたことを特徴とする記録再生装置。
【請求項１６】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクより小さい穴Ｓを開けた平板１と、前記光ディスクより大きい穴Ｌを開けた平板２との前記穴Ｓと穴Ｌを略同心円にして接着し、前記平板２の穴Ｌに前記光ディスクを入れたトレイを多数枚収納したカートリッジと、前記カートリッジを移動台で上下に移動し目標のトレイを所定の位置に位置決めし、目標の前記トレイをフック機構で引掛けて引き出し、前記光ディスクをガラス円板を取付けた回転部に固定し、前記光ディスクを前記ガラス円板に流体力で吸引して回転させて記録再生部で記録再生するとともに、収納時は、前記光ディスクを前記トレイに戻し前記フック機構で前記カートリッジに押し込んで収納するようにしたことを特徴とする記録再生装置。
【請求項１７】
可撓性を有するシート状の光ディスクを多数枚収納するカートリッジと、前記カートリッジから前記光ディスクを取り出して記録再生し、前記光ディスクを前記カートリッジに戻す手段を備えた記録再生装置において、
前記光ディスクを入れるトレイには前記光ディスクを被うカバーがあり、前記トレイを多数枚収納したカートリッジを移動台で上下に移動し目標のトレイを所定の位置に位置決めし、目標の前記トレイをフック機構で引掛けて引き出すとともに、前記カバーを剥離爪で引き剥がし、前記光ディスクをガラス円板を取付けた回転部に固定し、前記光ディスクを前記ガラス円板に流体力で吸引して回転させて記録再生部で記録再生し、収納時は、前記光ディスクを前記トレイに戻し前記光ディスクを前記カバーで被いながら前記フック機構で前記カートリッジに押し込んで収納するようにしたことを特徴とする記録再生装置。
【発明の詳細な説明】
【技術分野】
【０００１】
本発明は、シート状の光ディスクを複数枚収納したカートリッジとそのカートリッジより光ディスクを取り出しデータを記録又は再生し、また、カートリッジに光ディスクを収納するための記録再生装置に関する。
【背景技術】
【０００２】
このような光ディスクを多数収納して大容量化したものとして、ＣＤ、ＤＶＤ等のディスクチェンジャーが知られている。また、可撓性を有するシート状の光ディスクを収納したカートリッジおよびその記録再生装置として特許文献１がある。
【０００３】
この公報に記載のカートリッジは、カートリッジの中に光ディスクを積層、光ディスクの間にシートを挟んで積層および光ディスクを小カートリッジに入れて積層する。また、カートリッジから積層した光ディスクを全部取りだしたのち、ローラにより外側から順に分離し、ローラにより搬送し回転軸にチャッキングして記録再生する記録再生装置が開示されている。
【特許文献１】特開２００４−１３４０１９号公報
【発明の開示】
【発明が解決しようとする課題】
【０００４】
特許文献１に記載のカートリッジは、カートリッジから一枚づつ光ディスクを取り出すことが困難である。また、光ディスクをカートリッジへ正確に戻すことが困難である。また、ランダムにアクセスできない問題がある。また、記録再生装置は、摩擦やすべりを伴うローラ搬送であるため光ディスクの損傷、搬送時の位置決め精度および小型化に問題がある。
【０００５】
本発明は、上記の課題を解決することを目的とするものであり、一枚づつ光ディスクを取り出しランダムにアクセスできる大容量カートリッジ、また、光ディスクを損傷させない搬送、高速搬送、高精度な位置決めおよび小型化できる記録再生装置を提供することを目的とする。
【課題を解決するための手段】
【０００６】
上記目的を達成するために、第１に、前記光ディスクより小さい穴Ｓを開けた平板１と、大きい穴Ｌを開けた平板２との前記穴Ｓと穴Ｌを略同心円にして接着し、前記平板２の穴Ｌに前記光ディスクを入れたトレイを多数枚収納するカートリッジを用いる。これにより、薄く加工でき反りのないトレイを製作できる。また、平板２の穴Ｌに光ディスクを載せて搬送するので光ディスクが損傷しない。
【０００７】
第２に、前記光ディスクより小さい穴Ｓを開けた平板１と、大きい穴Ｌを開けた平板２との前記穴Ｓと穴Ｌを略同心円にして接着し、さらに、前記平板２の端部にシート状のカバーの端部を接着し、前記平板２の穴Ｌに前記光ディスクを入れて前記カバーで被ったトレイを多数枚収納するカートリッジを用いる。カバーを設けたので、搬送中に光ディスクの表面を擦らないので損傷しない。また、光ディスクをカバーで押さえて搬送できるので穴Ｌから飛出すような反りのある光ディスクでもトレイから落とさずに搬送できる。
【０００８】
第３に、前記光ディスクより小さい穴を開けた平板と、前記平板の端部にシート状のカバーの端部を接着し、前記平板と前記カバーの間に前記光ディスクを入れたトレイを多数枚収納するカートリッジを用いる。カバーを設けたので、搬送中に光ディスクの表面を擦らないので損傷しない。また、光ディスクをカバーで押さえて搬送できるので反りのある光ディスクでもトレイから落とさずに搬送できる。トレイを薄くできる。
【０００９】
第４に、前記平板の端部を折り返して前記カバーとしたところのトレイを多数枚収納するカートリッジを用いる。コスト低減できる。
【００１０】
第５に、前記平板１より前記平板２の一辺を短くして段差を設け、前記段差部に前記カバーの一辺を突出させ前記段差部の前記カバーを持上げるようにしたトレイを多数枚収納するカートリッジを用いる。これにより、容易にカバーを持ち上げることができる。
第６に、前記平板より前記カバーの一辺を突出させて突出部の前記カバーを持上げるようにしたトレイを多数枚収納するカートリッジを用いる。これにより、容易にカバーを持ち上げることができる。
【００１１】
第７に、前記平板を貫通する穴Ｈを設け、前記穴Ｈに部材を挿入して前記カバーを持上げるようにしたトレイを多数枚収納するカートリッジを用いる。これにより、容易にカバーを持ち上げることができる。
【００１２】
第８に、前記カートリッジに棚を設け前記トレイを複数枚づつに分割して多数枚収納するカートリッジを用いる。これにより、トレイに加わる荷重を低減できる。
第９に、前記トレイの間にシート状のセパレータを挿入して多数枚収納するカートリッジを用いる。これにより、低摩擦係数のセパレータでトレイを引出す際の連出しがなくなる。
【００１３】
第１０に、前記セパレータの一辺をトレイより長くし、前記カートリッジに設けた停止板で前記セパレータが停止して前記トレイの引出し方向に移動できないようにしたカートリッジを用いる。これにより、トレイを引出す際の連出しがなくなる。
【００１４】
第１１に、前記光ディスクを収めたトレイと、前記トレイを袋状のトレイケースに収納し前記トレイケースを多数枚収納するカートリッジを用いる。これにより、低摩擦係数のトレイケースでトレイを引出す際の連出しがなくなる。
【００１５】
第１２に、前記カートリッジに設けた停止板で前記トレイケースが停止して前記トレイの引出し方向に移動できないようにしたカートリッジを用いる。これにより、トレイを引出す際の連出しがなくなる。
【００１６】
第１３に、前記カートリッジの側板に前記トレイの厚さより広い間隔で溝を設け、前記トレイを前記溝に挿入して多数枚収納するカートリッジ用いる。これにより、トレイを引出す際の連出しがなくなる。
【００１７】
第１４に、前記光ディスクを収めたトレイと、前記トレイを多数枚収納したカートリッジから前記トレイを引出す際に、隣接する上側のトレイの引出し側の端部を持上げ、隣接する下側のトレイの引出し側の端部を押えるようにした記録再生装置を用いる。これにより、トレイを引出す際の連出しがなくなる。
【００１８】
第１５に、前記光ディスクより小さい穴Ｓを開けた平板１と、前記光ディスクより大きい穴Ｌを開けた平板２との前記穴Ｓと穴Ｌを略同心円にして接着し、前記平板２の穴Ｌに前記光ディスクを入れたトレイを多数枚収納したカートリッジと、前記カートリッジを移動台で上下に移動し目標のトレイを所定の位置に位置決めし、目標の前記トレイをフック機構で引掛けて引き出し、前記光ディスクをガラス円板を取付けた回転部に固定し、前記光ディスクを前記ガラス円板に流体力で吸引して回転させて記録再生部で記録再生するとともに、収納時は、前記光ディスクを前記トレイに戻し前記フック機構で前記カートリッジに押し込んで収納する記録再生装置を用いる。これにより、高速搬送、高信頼の記録再生が可能となる。
【００１９】
第１６に、前記光ディスクを入れるトレイには前記光ディスクを被うカバーがあり、前記トレイを多数枚収納したカートリッジを移動台で上下に移動し目標のトレイを所定の位置に位置決めし、目標の前記トレイをフック機構で引掛けて引き出すとともに、前記カバーを剥離爪で引き剥がし、前記光ディスクをガラス円板を取付けた回転部に固定し、前記光ディスクを前記ガラス円板に流体力で吸引されて回転して記録再生部で記録再生し、収納時は、前記光ディスクを前記トレイに戻し前記光ディスクを前記カバーで被ったのち前記フック機構で前記カートリッジに押し込んで収納する記録再生装置を用いる。これにより、高速搬送、高信頼の記録再生が可能となる。
【発明の効果】
【００２０】
本発明によれば、一枚づつ光ディスクを取り出しランダムにアクセスできる大容量カートリッジと光ディスクを損傷させない搬送、高速搬送、高精度な位置決めおよび小型化できる記録再生装置を提供する。
【発明を実施するための最良の形態】
【００２１】
本発明のシート状の光ディスクを複数枚収納したカートリッジとそのカートリッジより光ディスクを取り出しデータを記録又は再生し、また、カートリッジに光ディスクを収納するための光ディスク記録再生装置の一実施例を図１乃至図５を用いて説明する。図１は、光ディスク１０を収めたトレイ１を示す。図２は、図１のトレイ１のカバー４を開いた状態を示す。図３は、図１のトレイ１を横に切った断面図を示す。図４は、図１のトレイ１を多数枚積層収納したカートリッジ１５を示す。図５は、カートリッジ１５より光ディスク１０を収めたトレイ１を取り出し光ディスク１０にデータを記録又は再生し、また、カートリッジ１５に光ディスク１０を収めたトレイ１を収納するための光ディスク記録再生装置２１を示す。
【００２２】
図１、図２、図３に示すトレイ１の一実施例の構成を説明する。トレイ１は、平板２と、平板３と、シート状のカバー４から構成される。平板３は、平板２に接着されている。カバー４は、斜線で示す接着部５で平板３に接着されている。また、平板２には、光ディスク１０の直径よりも小さい貫通穴６とフック穴８および切欠部９を設ける。平板３には、光ディスク１０の直径よりも大きな貫通穴７を設ける。平板２の貫通穴６と平板３の貫通穴７は、略同心円状に配置される。光ディスク１０は、平板２と平板３の貫通穴７で形成された凹部に収められカバー４で覆われている。また、光ディスク１０には、光ディスク１０を図５のスピンドルモータ２９に固定するためのクランプ穴１１がある。平板３の大きさは、幅方向が段差部１２ができるように平板２より小さく、また、長さ方向は、フック穴８、切欠部９に被さらない長さである。また、カバー４の大きさは、幅方向が平板３より長く段差部１２に突き出るようにし、長さ方向は、平板３と略同じである。また、平板２の貫通穴６は、光ディスク１０を図５のスピンドルモータ２９に固定するためのキャップ３９を通過させるための穴である。平板２のフック穴８は、図５に示すフック機構３６を引掛けてカートリッジ１５よりトレイ１を引き出すための穴である。また、平板２の切欠部９は、カートリッジ１５に多数枚積層したトレイ１の隣接間の隙間を広くするためのもので、フック穴８と切欠部９は奇数番目と偶数番目とで交互に形成する。本発明の光ディスク１０の一例は、厚さ０．０５ｍｍ〜０．２ｍｍのポリカーボネート樹脂、ポリエステル樹脂等の基材の表面に記録層を設けたものである。そして、直径１２０ｍｍの円板の中央に直径１５ｍｍのクランプのための穴を設けている。平板２、平板３、カバー４の一例は、ポリエチレンテレフタレート、ＡＢＳ樹脂等の樹脂およびＳＵＳ等の金属が好適である。平板２、平板３の厚さは０．１ｍｍ〜０．３ｍｍ、カバー４の厚さは０．０３ｍｍ〜０．１ｍｍである。光ディスク１０が収まる凹部の深さは、０．１ｍｍ〜０．３ｍｍである。また、トレイ１は、型により一体成型、又は、カバー４以外を一体成型で造ることもできる。なお、カバー４の長さは、光ディスク１０の全体を被っているが、光ディスク１０の一部を被うものでもよい。
【００２３】
このように本発明によれば、トレイ１は、光ディスク１０より直径が小さい穴を開けた平板２と、光ディスク１０より直径が大きい穴を開けた平板３とを穴が略同心円状になるようにして接着して光ディスク１０を載せる凹部を形成したので、薄く加工でき反りのないトレイ１を製作できる効果がある。また、トレイ１の凹部に光ディスクを載せて搬送するので光ディスクが損傷しない効果がある。
【００２４】
また、トレイ１にカバー４を設けたので、搬送中に光ディスクの表面を擦らないので損傷しない効果がある。また、光ディスクをカバー４で押さえて搬送できるので凹部から飛出すような反りのある光ディスクでもトレイから落とさずに搬送できる効果がある。また、カバー４と平板２との間に段差１２を設けたのでカバー４を持ち上げるための引き剥がし機構（図５の剥離爪２６）を容易に挿入できる効果がある。
【００２５】
図４に示すカートリッジ１５の一実施例の構成を説明する。図４は、カートリッジ１５からトレイ１を引き出す方向から見た図でトレイ１を断面図で示す。また、カバー４と平板２の間に設けた段差１２を示す。カートリッジ１５は、ケース１６と、ケース１６に設けた仕切り板１７からなり、トレイ１の取り出し口のみが開放された構造である。なお、取り出し口にある開閉自由な蓋は省略している。ケース１６と仕切り板１７で囲まれた各棚ごとにトレイ１ａ〜１ｅ、およびトレイ１ｆ〜１ｊの５枚のトレイを積層して収納する。なお、仕切り板１７の数、棚に積層するトレイの数を変更できることは言うまでもない。
【００２６】
このように本発明によれば、トレイを積層して収納できるのでカートリッジ当りの光ディスクの収納枚数を多くできる効果がある。また、カートリッジの中に仕切り板を設けたので、トレイに加わる他のトレイからの荷重を低減できトレイの引き出しと収納時にトレイを擦る力および駆動力を低減できる効果がある。
【００２７】
図５に示す光ディスク記録再生装置２１の一実施例の構成を説明する。光ディスク記録再生装置２１は、筐体２２と、筐体２２に設けられたカートリッジ挿入口２３と、光ディスク１０を収納したトレイ１と、トレイ１を多数枚積層収納したカートリッジ１５と、カートリッジ１５を固定し上下方向に移動させるカートリッジ移動台２４と、カートリッジ１５からトレイ１０を水平方向に引き出し又は収納するための水平移動機構３５と、水平移動機構３５に設けたトレイ１０を引掛けるためのフック機構３６と、水平移動機構３５を水平方向に移動するための駆動部３７と、トレイ１のカバー４を引き剥がすための剥離爪２６と、トレイ１０をフック機構３６に位置決めするためのトレイ検出センサ２７と、水平移動機構３５と駆動部３７とトレイ検出センサ２７を設け、引き出したトレイ１０を載せて置くための固定ベース３８と、光ディスク１０とガラス円板３１をクランプ部３０に固定し回転させるためのスピンドルモータ２９と、光ディスク１０のデータの記録再生を行う記録再生部３２と、記録再生部３２を水平方向に移動するための駆動部３３と、光ディスク１０をガラス円板３１から剥離させるための振動機構４２と、スピンドルモータ２９と記録再生部３２と駆動部３３および振動機構４２を搭載し上下方向に移動する記録再生部移動台３４と、光ディスク１０をクランプ部３０に固定するキャップ３９と、キャップ３９を上下左右に移動できるようにガイドするキャップホルダ４１と、キャップホルダ４１を搭載し上下方向に移動するクランプ部移動台４０と、筐体２２に固定されカートリッジ移動台２４の上下方向の移動を支持する支持部材２５と、筐体２２に固定され記録再生部移動台３４とクランプ部移動台４０の上下方向の移動を支持する支持部材２８からなる。なお、カートリッジ移動台２４と記録再生部移動台３４およびクランプ部移動台４０は、図示しない移動機構によって駆動力が与えられ移動する。また、光ディスク１０と記録再生部３２との間隔は、おおよそ０．６５ｍｍ〜３．５ｍｍが好適である。また、ガラス円板の厚さは、おおよそ０．５ｍｍ〜０．６ｍｍが好適である。
【００２８】
次に、トレイ１をカートリッジ１５から引き出し光ディスク１０をクランプ部３０にセットするロード動作を説明する。まず、カートリッジ移動台２４を移動しながらトレイ検出センサ２７でトレイ１の位置を検出して目標のトレイ１をフック機構３６の水平レベルに位置決めする。次に、水平移動機構３５を移動してフック機構３６をカートリッジ１５の積層されたトレイ１の隙間に挿入しトレイ１のフック穴８に引掛ける。次に、水平移動機構３５を移動しカートリッジ１５からトレイ１を引き出し固定ベース３８の所定の位置に位置決めする。この引き出し動作時、トレイ１のカバー４は剥離爪２６に接触し上方に引き剥がされる。また、図５のように光ディスク１０は、カートリッジ１５から全て引き出されているがトレイ１の一部はカートリッジ１５に残る構成とする。次に、記録再生部移動台３４を下方に移動させ光ディスク１０のクランプ穴１１にクランプ部３０を挿入する。次に、クランプ部移動台４０を上方に移動させクランプ部３０の磁力によりキャップ３９をクランプ部３０に吸着して光ディスク１０を固定する。この状態でキャップ３９は、キャップホルダ４１と接触しない状態となる。次に、記録再生部移動台３４とクランプ部移動台４０を上方に移動させ光ディスク１０がトレイ１に接触しない所定の位置に移動する。これは、自重で垂れ下がった光ディスク１０をトレイ１に接触しない位置に移動してから回転させるためである。次に、スピンドルモータ２９を起動し光ディスク１０を回転する。光ディスク１０は、空気流によりガラス円板３１に押付けられ面ぶれのない状態で回転する。次に、記録再生部３２により光ディスク１０の記録再生を実行する。なお、光ディスク１０の面ぶれ低減に関して、ガラス円板３１の内周側に穴を設け空気流をガラス円板３１と光ディスク１０の間に流入させることでさらに効果がある。また、ガラス円板３１の下側に光ディスク１０を固定する構成は、記録再生部の光ビームは光ディスク１０に焦点を結ぶように構成されているので、ガラス円板３１の上側に塵が付着し場合でもガラス円板３１の上側の位置では、光スポットの面積が大きいため光量の低下が少なく記録再生のエラーを低減できる効果がある。
【００２９】
次に、光ディスク１０を記録再生状態からカートリッジ１５に収納するアンロード動作を説明する。まず、記録再生状態からスピンドルモータ２９を停止したのち、振動機構４２でガラス円板３１を叩く又は振動させ光ディスク１０をガラス円板３１から剥離させる。次に、記録再生部移動台３４とクランプ部移動台４０を下方に移動させ光ディスク１０をトレイ１に接触させる。次に、クランプ部移動台４０を下方に移動させクランプ部３０からキャップ３９を切り離し待機状態に移動する。これにより、光ディスク１０はトレイ１に受け渡される。次に、記録再生部移動台３４を上方に移動させ待機状態に移動する。次に、水平移動機構３５を移動させフック機構３６でトレイ１を押すようにして移動させカートリッジ１５に収納する。このトレイ１がカートリッジ１５の中に挿入されるに連れてカバー４は、トレイ１に戻されて光ディスク１０を被うようになる。次に、水平移動機構３５を待機状態に戻す。
【００３０】
このように本発明によれば、カートリッジ１５にトレイ１に収められ積層された光ディスク１０を損傷することなくランダムに取り出し、光ディスク１０の面ぶれのない状態でデータを高精度で記録再生したのち、カートリッジ１５の元の場所に、高速に、正確に光ディスク１０を損傷することなく戻すことができる効果がある。
【００３１】
次に、トレイ１の他の一実施例を図６、図７に示す。図６において、図１のトレイ１と同一の構成個所は同じ符号で示す。図７は、図６を横から見た図を示す。図６の構成は、図１のトレイ１に平板２と平板３を貫通する穴４５を設けたものである。図７に示すように、トレイ１をローラ４６の上を移動させるとローラ４６がトレイ１に設けた穴４５から飛出してカバー４を持ち上げる。これにより、剥離爪２６をカバー４の下に挿入できる。
このように本発明によれば、カバー４と平板２との間に隙間を設けることができるのでカバー４を持ち上げるための引き剥がし機構の剥離爪２６を容易に挿入できる効果がある。
次に、トレイ１の他の一実施例を図８、図９に示す。図８において、図１のトレイ１と同一の構成個所は同じ符号で示す。図９は、図８を横から見た図を示す。図８の構成は、図１のトレイ１に平板２と平板３を貫通する穴４８を設けたものである。図９に示すように、トレイ１の穴４８に引き剥がし棒４９を挿入することによりカバー４を持ち上げることができる。
【００３２】
このように本発明によれば、簡単な機構でカバー４を持ち上げられる効果がある。
次に、トレイ１の他の一実施例を図１０に示す。図１０において、図１のトレイ１と同一の構成個所は同じ符号で示す。図１０の構成は、図１のトレイ１のカバー４に代わりカバー５１を設ける。カバー５１には、光ディスク１０が収められる凹部側に突き出た突起部５２を設ける。斜線部５３でカバー５１は平板３に接着されている。なお、トレイ１から光ディスク１０を取り出すおよび戻す場合に、突起部５２と光ディスク１０が変形するので取り出し収納ができる。
【００３３】
このように本発明によれば、カバー５１の突起部５２で光ディスク１０をトレイ１から落ちないように保持できる効果がある。また、トレイ１から光ディスク１０を取り出すおよび戻すことができる効果がある。
【００３４】
次に、トレイ１の他の一実施例を図１１に示す。図１１において、図６のトレイ１と同一の構成個所は同じ符号で示す。図１１の構成は、図６のトレイ１の平板３を省いたものである。また、カバー４は、平板２を接着部５で折り曲げて一体で構成することもできる。
【００３５】
このように本発明によれば、簡単な構成でトレイ１に光ディスク１０を保持できる効果がある。
【００３６】
次に、トレイ１の他の一実施例を図１２に示す。図１２において、図８のトレイ１と同一の構成個所は同じ符号で示す。図１２の構成は、図８のトレイ１の平板３を省いたものである。また、カバー４は、光ディスク１０のクランプ穴１１に差込むことができる差込み部５５を設ける。なお、カバー４は、平板２を接着部５で折り曲げて一体で構成することもできる。
【００３７】
このように本発明によれば、光ディスク１０のクランプ穴１１にカバー４の差込み部５５が差込まれるので、トレイ１からはみ出ることなく光ディスク１０を保持できる効果がある
【００３８】
次に、トレイ１の他の一実施例を図１３に示す。図１３において、図１のトレイ１と同一の構成個所は同じ符号で示す。図１３の構成は、図１のトレイ１の平板３を省いたものである。また、カバー４の大きさは、幅方向が平板２より長く、長さ方向は、フック穴８、切欠部９に被さらない長さである。また、カバー４は、平板２を接着部５で折り曲げて一体で構成することもできる。
【００３９】
このように本発明によれば、簡単な構成でトレイ１に光ディスク１０を保持できる効果がある。また、カバー４の下に隙間を設けることができるのでカバー４を持ち上げるための引き剥がし機構（図５の剥離爪２６）を容易に挿入できる効果がある。
次に、カートリッジ１５の他の一実施例を図１４に示す。図１４において、図４のカートリッジ１５と同一の構成個所は同じ符号で示す。図１４の構成は、積層したトレイ１ａ〜１ｊの隣接間に幅方向がトレイよりも長い平板のセパレータ５８ａ〜５８ｈを挿入したものである。なお、セパレータ５８ａ〜５８ｈは固定されていない。また、セパレータ５８ａ〜５８ｈがトレイの引き出し方向に移動しないように停止板５９をケース１６に設ける。なお、セパレータ５８と停止板５９は、セパレータ５８が上下方向に移動でき、トレイの引き出し方向に移動できない構造であれば他の構成でもよい。また、仕切り板１７の数、棚に積層するトレイの数を変更できることは言うまでもない。
【００４０】
このように本発明によれば、隣接のトレイとの間にセパレータを入れたのでトレイを引き出した際に、隣接の上下のトレイを連れ出さない効果がある。トレイを積層して収納できるのでカートリッジ当りの光ディスクの収納枚数を多くする効果がある。また、カートリッジの中に仕切り板を設けたので、トレイに加わる他のトレイからの荷重を低減できトレイの引き出しと収納時にトレイを擦る力および駆動力を低減できる効果がある。
次に、図１５にカートリッジ１５からトレイ１を引き出す機構の他の一実施例を示す。図１５は、図４のカートリッジ１５とトレイ１を横から見た図であって、図４のカートリッジ１５と同一の構成個所は同じ符号で示す。また、トレイ１を横から見た図３と同一の構成個所を同じ符号で示す。図１５の構成は、引き出すトレイ１ｈの隣接の上下のトレイ１ｇ、１ｉを連れ出さないように、ブロック板６２でトレイ１ｇの先端を上方向に浮かす。また、ブロック板６３でトレイ１ｉを下方向に押える。
【００４１】
このように本発明によれば、トレイを引き出す際に、隣接の上下のトレイを連れ出さない効果がある。また、トレイを浮かすのでトレイに加わる他のトレイからの荷重を低減できトレイの引き出しと収納時にトレイを擦る力および駆動力を低減できる効果がある。
次に、図１６、図１７にカートリッジ１５の他の一実施例を示す。図１６は、図１１に示すトレイ１をトレイケース６８の中に収納したものである。図１６において、図１１に示すトレイ１と同一の構成個所は同じ符号で示す。トレイケース６８は、一枚のシートを折畳んで斜線部で示す接着部６９で接着した袋状の形状である。
【００４２】
図１７は、図１６のトレイ１ａ〜１ｊを収納したトレイケース６８ａ〜６８ｊを積層したカートリッジ１５を示す。図１７において、図１４のカートリッジ１５と同一の構成個所は同じ符号で示す。トレイケース６８ａ〜６８ｊがトレイの引き出し方向に移動しないように停止板５９をケース１６に設ける。なお、トレイケース６８と停止板５９は、トレイケース６８が上下方向に移動でき、トレイの引き出し方向に移動できない構造であれば他の構成でもよい。また、仕切り板１７の数、棚に積層するトレイケースの数を変更できることは言うまでもない。
【００４３】
このように本発明によれば、トレイをトレイケースに入れたのでトレイを引き出す際に、隣接の上下のトレイを連れ出さない効果がある。トレイを積層して収納できるのでカートリッジ当りの光ディスクの収納枚数を多くする効果がある。また、カートリッジの中に仕切り板を設けたので、トレイに加わる他のトレイからの荷重を低減できトレイの引き出しと収納時にトレイを擦る力および駆動力を低減できる効果がある。
【００４４】
次に、図１８にカートリッジの他の一実施例を示す。図１８のカートリッジ７０は、ケース７１と、ケース７１の側板７２と、側板７２に設けた溝７３からなる。溝７３の間隔は、トレイ１の厚み以上にする。トレイ１は、溝７３に挿入されカートリッジ７０に多数収納できる。
【００４５】
このように本発明によれば、隣接するトレイ間には隙間があるのでトレイを引き出す際に、上下のトレイを連れ出さない効果がある。薄いトレイを収納できるのでカートリッジ当りの光ディスクの収納枚数を多くする効果がある。また、トレイに他のトレイの荷重が加わらないのでトレイの引き出しと収納時にトレイを擦る力および駆動力を低減できる効果がある。
【００４６】
このように本実施例では、シート状の光ディスクについて述べたが、シート状の磁気ディスクにも適用できる。また、本発明の光ディスク記録再生装置と磁気ディスク装置と半導体メモリとを組み合わせることにより監視カメラ画像、テレビ番組等を長時間記録できる大容量の画像記録装置を構成することができる。
【図面の簡単な説明】
【００４７】
【図１】本発明の光ディスクを収めたトレイの一実施例を示す。
【図２】図１のカバーを開いた状態を示す。
【図３】図１のトレイを横に切った断面図を示す。
【図４】本発明のトレイを積層したカートリッジの一実施例を示す。
【図５】本発明の光ディスク記録再生装置の一実施例を示す。
【図６】本発明の光ディスクを収めたトレイの他の一実施例を示す。
【図７】図６のトレイを横から見た図を示す。
【図８】本発明の光ディスクを収めたトレイの他の一実施例を示す。
【図９】図８のトレイのカバーを開いた状態を示す。
【図１０】本発明の光ディスクを収めたトレイの他の一実施例を示す。
【図１１】本発明の光ディスクを収めたトレイの他の一実施例を示す。
【図１２】本発明の光ディスクを収めたトレイの他の一実施例を示す。
【図１３】本発明の光ディスクを収めたトレイの他の一実施例を示す。
【図１４】本発明のトレイを積層したカートリッジの他の一実施例を示す。
【図１５】本発明のトレイを引き出す機構の一実施例を示す。
【図１６】本発明のトレイをトレイケースに収めた一実施例を示す。
【図１７】本発明のトレイを積層したカートリッジの他の一実施例を示す。
【図１８】本発明のトレイを収納するカートリッジの他の一実施例を示す。
【符号の説明】
【００４８】
１…トレイ、２…光ディスクより小さい穴を開けた平板、３……光ディスクより大きい穴を開けた平板、４…カバー、５…接着部、６…平板２の穴、７…平板３の穴、８…フック穴、９…切欠部、１０…光ディスク、１１…クランプ穴
【図１】
2007172726.tif 000003
【図２】
2007172726.tif 000004
【図３】
2007172726.tif 000005
【図４】
2007172726.tif 000006
【図５】
2007172726.tif 000007
【図６】
2007172726.tif 000008
【図７】
2007172726.tif 000009
【図８】
2007172726.tif 000010
【図９】
2007172726.tif 000011
【図１０】
2007172726.tif 000012
【図１１】
2007172726.tif 000013
【図１２】
2007172726.tif 000014
【図１３】
2007172726.tif 000015
【図１４】
2007172726.tif 000016
【図１５】
2007172726.tif 000017
【図１６】
2007172726.tif 000018
【図１７】
2007172726.tif 000019
【図１８】
2007172726.tif 000020